(57)【要約】【課題】送風効率が向上するインペラを提供する。【解決手段】中心軸を中心とし下側に開口するカップ部２０と、カップ部の下側から径方向外側に向かって延びる環状の主板３０と、主板の上側に周方向に配列された複数の羽根４０と、複数の羽根の外端と接続される円環状のリング部５０と、主板の上面とカップ部の外周面とを接続し、径方向内側に向かって凸となる曲面部６０と、を有する。複数の羽根の径方向内端は、曲面部と接続され、主板の外側は、径方向外側に向かうに従って、リング部の下端と主板の上面との軸方向距離が長くなる主板傾斜部３１を有する。【選択図】図１
2017036723.tif 000002
【特許請求の範囲】
【請求項１】
上下方向に延びる中心軸を中心として回転するインペラであって、
前記中心軸を中心とし下側に開口するカップ部と、
前記カップ部の下側から径方向外側に向かって延びる環状の主板と、
前記主板の上側に周方向に配列された複数の羽根と、
前記複数の羽根の外端と接続される円環状のリング部と、
前記主板の上面と前記カップ部の外周面とを接続し、径方向内側に向かって凸となる曲面部と、
を有し、
前記複数の羽根の径方向内端は、前記曲面部と接続され、
前記主板の外側は、径方向外側に向かうに従って、前記リング部の下端と前記主板の上面との軸方向距離が長くなる主板傾斜部を有するインペラ。
【請求項２】
上下方向に延びる中心軸を中心として回転するインペラであって、
前記中心軸を中心とし下側に開口するカップ部と、
前記カップ部の下側から径方向外側に向かって延びる環状の主板と、
前記主板の上側に周方向に配列された複数の羽根と、
前記複数の羽根の外端と接続される円環状のリング部と、
前記主板の上面と前記カップ部の外周面とを接続し、径方向内側に向かって凸となる曲面部と、
を有し、
前記複数の羽根の径方向内端は、前記曲面部と接続され、
前記主板の下面は、周方向に間隔をあけて、軸方向上側に窪む複数の凹部を有し、
前記凹部は、前記リング部よりも径方向内側に位置する。
【請求項３】
複数の前記凹部は、径方向外側において、周方向に間隔をあけた複数の主板外側凹部を有する、
請求項２に記載のインペラ。
【請求項４】
前記主板の外側は、径方向外側に向かうに従って、前記リング部の下端と前記主板の上面との軸方向距離が長くなる主板傾斜部を有し、
前記主板外側凹部の少なくとも一部は、軸方向において、前記主板傾斜部と重なる、
請求項３に記載のインペラ。
【請求項５】
複数の前記凹部は、前記主板外側凹部よりも径方向内側において、周方向に間隔をあけて複数設けられた主板内側第１凹部を有する、
請求項２から４のいずれか一項に記載のインペラ。
【請求項６】
複数の前記凹部は、前記主板内側第１凹部よりも径方向外側において、周方向に間隔をあけて複数設けられた主板内側第２凹部を有する、
請求項５記載のインペラ。
【請求項７】
前記曲面部の一部は、軸方向において、前記主板内側第１凹部および前記主板内側第２凹部と重なる、
請求項６に記載のインペラ。
【請求項８】
前記羽根は、前記リング部の下面に接続される、
請求項１または請求項２に記載のインペラ。
【請求項９】
前記リング部は、さらに前記下面とリング部の外周面とをつなぐリング部傾斜部を有し、
前記羽根は、前記リング部傾斜部に接続されている、
請求項８に記載のインペラ。
【請求項１０】
前記リング部は、さらに前記下面とリング部の上面とをつなぐリング部傾斜部を有し、
前記羽根は、前記リング部傾斜部に接続されている、
請求項８に記載のインペラ。
【請求項１１】
前記羽根の外端は、前記リング部傾斜部に接続されている、
請求項９または請求項１０に記載のインペラ。
【請求項１２】
前記羽根は、さらに、前記羽根の内端と前記羽根の上端とをつなぐ羽根傾斜部を有する、
請求項１から請求項１１のいずれか一項に記載のインペラ。
【請求項１３】
前記羽根の枚数は、１０枚である、
請求項１から請求項１２のいずれか一項に記載のインペラ。
【請求項１４】
上面視において、前記主板の少なくとも一部が軸方向に露出する、
請求項１から請求項１３のいずれか一項に記載のインペラ。
【請求項１５】
前記羽根の回転方向前方側の面における径方向外端は、前記羽根の回転方向前方側の面における任意の接線よりも回転方向後方側に位置する、
請求項１から請求項１４のいずれか一項に記載のインペラ。
【請求項１６】
請求項１から請求項１５のいずれか一項に記載のインペラを有する遠心ファン。
【請求項１７】
上下方向に延びる中心軸を中心として回転するインペラと、
前記インペラを回転させるモータと、
前記インペラの下側に位置し、前記インペラを回転可能に支持するベース部と、
を有し、
前記インペラは、
前記中心軸を中心とし下側に開口するカップ部と、
前記カップ部の下側から径方向外側に向かって延びる環状の下主板と、
前記下主板の上側に周方向に配列された複数の羽根と、
前記複数の羽根の上部が接続される円環状の上主板と、
前記下主板の上面と前記カップ部の外周面とを接続し、径方向内側に向かって凸となる曲面部と、
を有し、
前記複数の羽根の径方向内端は、前記曲面部と接続され、
前記上主板の内端は、径方向において、前記下主板の外端と略一致する位置か、または、前記下主板の外端よりも外側に位置し、
前記ベース部は、前記下主板の下側に位置し、径方向外側に拡がるベースプレートを有し、
前記ベースプレートの外側は、径方向外側に向かうに従って、前記下主板の下端と前記ベースプレートの上面との軸方向距離が長くなるベースプレート傾斜部を有し、
前記ベースプレート傾斜部の少なくとも一部は、前記下主板の径方向外端よりも径方向外側に位置する、遠心ファン。
【請求項１８】
前記下主板の径方向外端は、前記羽根の径方向外端よりも内側に位置する、
請求項１７に記載の遠心ファン。
【請求項１９】
前記下主板の外側は、径方向外側に向かうに従って、前記上主板の下端と前記下主板の上面との軸方向距離が長くなる主板傾斜部を有する請求項１７または請求項１８に記載の遠心ファン。
【請求項２０】
前記下主板の下面は、周方向に間隔をあけて、軸方向上側に窪む複数の凹部を有する、請求項１７から請求項１９に記載の遠心ファン。
【発明の詳細な説明】
【技術分野】
【０００１】
本発明は、インペラおよび遠心ファンに関するものである。
【背景技術】
【０００２】
家電機器、ＯＡ機器、産業機器の冷却、換気、空調や、車両用の送風機などに、遠心ファン（遠心式ファン）が広く用いられている。 特許文献１には、羽根の先端部にリング部材が接続されたインペラを有する遠心ファンの構造が開示されている。特許文献１に記載されたインペラは、量産性を考慮して羽根の径方向外端がインペラの回転方向前方側に曲げる構成を有している（例えば、特許文献１参照）。
【先行技術文献】
【特許文献】
【０００３】
【特許文献１】特開２０１４−０８８７８７号公報
【発明の概要】
【発明が解決しようとする課題】
【０００４】
特許文献１に記載された遠心ファンは、羽根の径方向外端が曲がっているため、インペラ回転時の空気抵抗が増加してしまい、送風効率が低下する可能性がある。
【０００５】
また、回転バランスを修正するためにインペラに肉盗み部を設けたり、ヒケ防止のために樹脂の肉厚を略均一にしたりしているが、十分ではない可能性がある。
【０００６】
本発明は、以上のような点を考慮してなされたもので、送風効率が向上し、インペラの回転バランス修正が容易であり、ヒケ防止さらには軽量化を実現可能なインペラおよび遠心ファンを提供することを目的とする。
【課題を解決するための手段】
【０００７】
本発明の例示的な一実施形態においては、上下方向に延びる中心軸を中心として回転するインペラであって、前記中心軸を中心とし下側に開口するカップ部と、前記カップ部の下側から径方向外側に向かって延びる環状の主板と、前記主板の上側に周方向に配列された複数の羽根と、前記複数の羽根の外端と接続される円環状のリング部と、前記主板の上面と前記カップ部の外周面とを接続し、径方向内側に向かって凸となる曲面部と、を有し、前記複数の羽根の径方向内端は、前記曲面部と接続され、前記主板の外側は、径方向外側に向かうに従って、前記リング部の下端と前記主板の上面との軸方向距離が長くなる主板傾斜部を有するインペラが提供される。
【０００８】
本発明の例示的な他の実施形態においては、上下方向に延びる中心軸を中心として回転するインペラであって、前記中心軸を中心とし下側に開口するカップ部と、前記カップ部の下側から径方向外側に向かって延びる環状の主板と、前記主板の上側に周方向に配列された複数の羽根と、前記複数の羽根の外端と接続される円環状のリング部と、前記主板の上面と前記カップ部の外周面とを接続し、径方向内側に向かって凸となる曲面部と、を有し、前記複数の羽根の径方向内端は、前記曲面部と接続され、前記主板の下面は、周方向に間隔をあけて、前記軸方向上側に窪む複数の凹部を有し、前記凹部は、前記リング部よりも径方向内側に位置するインペラが提供される。
【０００９】
本発明の例示的な他の実施形態においては、上下方向に延びる中心軸を中心として回転するインペラと、前記インペラを回転させるモータと、前記インペラの下側に位置し、前記インペラを回転可能に支持するベース部と、を有し、前記インペラは、前記中心軸を中心とし下側に開口するカップ部と、前記カップ部の下側から径方向外側に向かって延びる環状の下主板と、前記下主板の上側に周方向に配列された複数の羽根と、前記複数の羽根の上部が接続される円環状の上主板と、前記下主板の上面と前記カップ部の外周面とを接続し、径方向内側に向かって凸となる曲面部と、を有し、前記複数の羽根の径方向内端は、前記曲面部と接続され、前記上主板の内端は、径方向において、前記下主板の外端と略一致する位置か、または、前記下主板の外端よりも外側に位置し、前記ベース部は、前記下主板の下側に位置し、径方向外側に拡がるベースプレートを有し、前記ベースプレートの外側は、径方向外側に向かうに従って、前記下主板の下端と前記ベースプレートの上面との軸方向距離が長くなるベースプレート傾斜部を有し、前記ベースプレート傾斜部の少なくとも一部は、前記下主板の径方向外端よりも径方向外側に位置する、遠心ファンが提供される。
【発明の効果】
【００１０】
本発明では、送風効率が向上し、インペラの回転バランス修正が容易であり、ヒケ防止さらには軽量化を実現可能なインペラおよび遠心ファンを提供できる。
【図面の簡単な説明】
【００１１】
【図１】図１は、本実施形態の遠心ファン１を示す断面図である。
【図２】図２は、遠心ファン１のインペラ１０を示す平面図である。
【図３】図３は、インペラ１０の外観斜視図である。
【図４】図４は、変形例のインペラ１０Ａおよび遠心ファン１Ａを示す平面図である。
【図５】図５は、変形例のインペラ１０Ａおよび遠心ファン１Ａを示す断面図である。
【発明を実施するための形態】
【００１２】
以下、本発明のインペラおよび遠心ファンの実施の形態を、図１乃至図５を参照して説明する。なお、本発明の範囲は、以下の実施の形態に限定されず、本発明の技術的思想の範囲内で任意に変更可能である。また、以下の図面においては、各構成をわかりやすくするために、各構造における縮尺、数等が、実際の構造と異なる場合がある。
【００１３】
図１は、本実施形態の遠心ファン１を示す断面図であり、図２のＡ−Ａ線における断面図である。図２は、遠心ファン１のインペラ１０を示す平面図である。図３は、インペラ１０の外観斜視図である。
【００１４】
以下の説明においては、中心軸ＡＸに沿う方向を軸方向とし、中心軸ＡＸに直交する方向を径方向とし、回転方向に沿う方向を周方向と称する。中心軸ＡＸ方向を上下方向とし、ベース部８０に対してインペラ１０側を上側として各部の形状または位置関係を説明する。ただし、これは、説明の便宜のために上下方向を定義したに過ぎず、本発明に係るインペラ１０および遠心ファン１の、使用時の向きを限定しない。
【００１５】
図１に示すように、遠心ファン１は、インペラ１０、ベース部８０およびモータＭを備えている。遠心ファン１は、インペラ１０の回転によって、空気を遠心力により径方向外方に送り出す遠心ファンである。以下、各部について詳細に説明する。
【００１６】
モータＭは、図示しないモータ本体と、モータ本体を収容するモータハウジング１２と、を有する。モータＭは、軸方向に延びる回転軸１１を有する。モータＭは、モータ本体の駆動により中心軸ＡＸ回りにインペラ１０を回転させる。モータ本体は、例えば、固定組立体であるステータ部と、回転組立体であるロータ部とを備えた構造を採用することができる。ロータ部は、例えばステータ部に対して中心軸ＡＸ回りに回転可能である。
【００１７】
インペラ１０は、カップ部２０、主板３０、羽根４０、リング部５０および曲面部６０を備えている。カップ部２０は、中心軸ＡＸを中心とし下側に開口している。カップ部２０の内部には、モータＭの少なくとも一部が収容される。カップ部２０は、円形の天板部２１と円筒形の円筒部２３とを有する有蓋円筒状である。円筒部２３は天板部２１の径方向外端から下向に延びる。円筒部２３の外周面は、下側に向かうに従って中心軸ＡＸからの距離が徐々に長くなる。
【００１８】
天板部２１は、中心軸ＡＸに対して径方向に延びている。天板部２１は、回転軸１１に固定されている。そのため、モータＭの駆動によりインペラ１０は、中心軸ＡＸを中心として回転する。インペラ１０の回転方向は、周方向において、羽根４０の径方向外端の位置から羽根４０の径方向内端の位置に向かう方向である。すなわち、インペラ１０の回転方向は、図２における時計回り方向である。
【００１９】
主板３０は、カップ部２０の下側から径方向外側に向かって延びる環状の部位である。主板３０は、図２に示すように、上面視において、少なくとも一部が軸方向に露出している。つまり、主板３０は、上面視において、リング部５０の径方向内側に露出している。そのため、インペラ１０の回転により、インペラ１０の上側の空気が吸気される。主板３０の外側は、主板傾斜部３１を有する。主板傾斜部３１は、径方向外側に向かうに従って、リング部５０の下端と主板３０の上面との軸方向距離が長くなる。そのため、径方向外方に送り出される空気の吐出口における断面積を広げることができ、排気効率を高めることができる。
【００２０】
主板３０の下面３０ｂは、周方向に間隔をあけて、軸方向上側に窪み、リング部５０よりも径方向内側に位置する、複数の凹部を有する。複数の凹部は、主板外側凹部３１ａ、主板内側第１凹部３１ｂおよび主板内側第２凹部３１ｃを有している。主板外側凹部３１ａは、径方向外側において、周方向に間隔をあけて複数配置されている。そのため、インペラ１０の回転バランス修正ができる。主板外側凹部３１ａは、径方向外側の一部が軸方向において、主板傾斜部３１と重なる。そのため、可能な範囲で径方向外端に主板外側凹部３１ａを形成することで、回転バランス修正の効果を増大できる。
【００２１】
主板内側第１凹部３１ｂは、主板外側凹部３１ａよりも径方向内側において、周方向に間隔をあけて複数設けられている。そのため、主板内側第１凹部３１ｂが肉抜きとなりインペラ１０の成形時のヒケ防止および軽量化を実現できるとともに、回転バランス修正ができる。
【００２２】
主板内側第２凹部３１ｃは、主板内側第１凹部３１ｂよりも径方向外側において周方向に間隔をあけて複数設けられている。そのため、主板内側第２凹部３１ｃが肉抜きとなりインペラ１０の成形時のヒケ防止および軽量化を実現できるとともに、回転バランス修正ができる。
【００２３】
なお、主板３０の軸方向厚みの関係上、主板外側凹部３１ａにおける軸方向深さを確保することと、主板内側第１凹部３１ｂまたは主板内側第２凹部３１ｃにおける軸方向深さを確保することと、を比較すると、前者の方が難しい。すなわち、錘やクリップ等のプラスバランス調整は、軸方向深さを確保し易い、主板内側第１凹部３１ｂまたは主板内側第２凹部３１ｃにて行うことが好ましい。一方、主板外側凹部３１ａでは、金型成型時のバランス修正のみに留めることが好ましい。このように、金型成型時の１次的なバランス調整は主板外側凹部３１ａにて行い、金型成型後の２次的なバランス調整は主板内側第１凹部３１ｂまたは主板内側第２凹部３１ｃにて行うことで、量産性に優れたインペラを実現することが可能。
【００２４】
曲面部６０は、主板３０の上面３０ａと、カップ部２０の外周面とを接続する。曲面部６０は、径方向内側に向かって凸となっている曲面である。曲面部６０は、軸方向において天板部２１と主板３０との中腹近傍に位置する内側接続部Ｆ１において、円筒部２３と接続される。また、曲面部６０は、径方向において天板部２１の外端と主板３０の外端との中間近傍に位置する外側接続部Ｆ２において、主板３０と接続される。曲面部６０の中心軸ＡＸからの距離は、軸方向において、内側接続部Ｆ１から外側接続部Ｆ２へ向かうにつれて、連続的に長くなる。また、中心軸ＡＸからの距離が長くなる割合は、内側接続部Ｆ１から外側接続部Ｆ２へ向かうにつれて、徐々に増加する。
【００２５】
曲面部６０は、インペラ１０の上側からカップ部２０の外周面に沿って下側に吸気された空気の流動方向を、径方向外側に向かうに従って、カップ部２０の外周面に沿った方向から主板３０の上面３０ａに沿って径方向外側に向かう方向まで連続的に変化させる。そのため、インペラ１０の上側から吸気して径方向外側に排気する空気の流動抵抗の増加を抑えて送風効率を高めることができる。
【００２６】
曲面部６０の一部は、軸方向において、主板内側第１凹部３１ｂおよび主板内側第２凹部３１ｃと重なる。そのため、曲面部６０の存在によって肉厚となった部位を薄くしてヒケを防止できる。
【００２７】
リング部５０は、羽根４０の外端と接続される円環状の部位である。リング部５０の径方向内端は、径方向において、主板３０の外端と略一致する位置か、または主板３０の外端よりも外側に位置する。そのため、インペラ１０は、金型を上下抜きにより成型できる。
【００２８】
リング部５０の上面は、リング部凹部５５を有している。リング部凹部５５は、周方向に間隔をあけて複数配置されている。そのため、インペラ１０の回転バランス修正ができる。リング部５０は、下面５１と外周面５２とをつなぐリング部傾斜部５３を有している。中心軸ＡＸからリング部傾斜部５３までの径方向距離は、軸方向下側から上側に向かうにつれて、長くなる。そのため、径方向外方に送り出される空気の吐出口における断面積を広くすることができ、排気効率を高めることができる。ただし、リング部５０は、下面５１とリング部５０の上面とをつなぐリング部傾斜部５３を有していても良い。つまり、リング部５０は外周面５２を有しておらず、リング部傾斜部５３が、下面５１からリング部５０の上面まで延びても良い。これによって、吐出口の断面積をさらに広げることができるため、排気効率をさらに高めることができる。
【００２９】
軸方向においてリング部５０の上面の位置におけるリング部傾斜部５３の径方向の位置が、リング部５０の外周面５２の径方向の位置よりも外側である場合に、リング部５０の外周面５２は、図１および図２に示すように、軸方向に延びる。軸方向においてリング部５０の上面の位置におけるリング部傾斜部５３の径方向の位置が、リング部５０の外周面５２の径方向の位置と同じか、またはリング部５０の外周面５２の径方向の位置よりも内側である場合に、リング部５０の外周面は、リング部５０の上面とリング部傾斜部５３とが交差する、上面視円形の線状となる。
【００３０】
羽根４０は、主板３０の上側に周方向に複数配列されている。羽根４０の枚数は、１０枚である。そのため、羽根の枚数が１１枚以上である場合と比べて、後述する開口部７０の開口面積が増大し、上側に向く吸気口からの吸気効率が向上する。それぞれの羽根４０の径方向内端は、曲面部６０と接続されている。すなわち、羽根４０の径方向内端は、主板３０の上面３０ａと曲面部６０との外側接続部Ｆ２よりも径方向内側に位置する。そのため、インペラ１０の上側からカップ部２０の外周面に沿って下側に吸気された空気を、主板３０の上面３０ａに到達する前に羽根４０に接触させることができ、排気効率を向上できる。
【００３１】
羽根４０は、リング部５０の下面５１に接続されている。そのため、リング部５０と羽根４０との固定を強化できる。羽根４０の外端は、リング部傾斜部５３に接続されている。そのため、羽根４０からリング部５０までの空気流動性を向上できる。
【００３２】
羽根４０は、径方向において、リング部５０の外周面５２と接続されている。そのため、羽根４０の径方向長さが大きくなり排気効率が向上する。さらに、羽根４０とリング部５０との接続部において、乱流が発生することを抑制できる。
【００３３】
羽根４０は、羽根４０の内端と羽根４０の上端とをつなぐ羽根傾斜部４１を有している。そのため、上側に向く、カップ部２０と羽根４０の径方向内端との間の開口部７０における開口面積がさらに増大し、上側に向く吸気口からの吸引効率がさらに向上する。
【００３４】
羽根４０の回転方向前方側の面における径方向外端は、羽根４０の回転方向前方側の面における任意の接線よりも回転方向後方側に位置している。そのため、羽根４０が受ける空気抵抗を低減し、消費電力を抑制できる。
【００３５】
ベース部８０は、インペラ１０の下側に位置している。ベース部８０は、軸方向に延びる円筒部８２および円筒部８２の下側から径方向外側に延びるベースプレート８１を有している。ベースプレート８１は、モータＭを下側から支持する。そのため、ベースプレート８１は、モータＭを介してインペラ１０を回転可能に支持する。
【００３６】
上記構成の遠心ファン１においては、モータ本体の駆動によりインペラ１０がベース部８０に対して中心軸ＡＸ回りに回転したときに、空気を遠心力により径方向外方に送り出して送風する。空気が径方向外方に送り出されて生じた負圧によって、インペラ１０の上側の空気が開口部７０を介して吸気される。開口部７０から下向きに吸気された空気は、カップ部２０の外周面、曲面部６０に沿って流動し、流動方向が下側から径方向外側に滑らかに変化して径方向外方に送風される。本実施形態の遠心ファン１においては、吸気効率および排気効率の双方が向上して送風効率を高めることができる。
【００３７】
図４は、変形例のインペラ１０Ａおよび遠心ファン１Ａを示す平面図である。図５は、変形例のインペラ１０Ａおよび遠心ファン１Ａを示す、図４のＢ−Ｂ線視断面図である。図４および図５において、図１乃至図３に示す実施形態の構成要素と同一の要素については同一符号を付し、その説明を省略または簡略化する。
【００３８】
図４に示すように、遠心ファン１Ａは、インペラ１０Ａ、ベース部８０ＡおよびモータＭを備えている。遠心ファン１Ａは、インペラ１０Ａの回転によって、空気を遠心力により径方向外方に送り出す遠心ファンである。
【００３９】
インペラ１０Ａは、カップ部２０、下主板３０Ａ、羽根４０、上主板５０Ａおよび曲面部６０Ａを備えている。下主板３０Ａは、カップ部２０の下側から径方向外側に向かって延びる環状である。下主板３０Ａは、図４に示すように、上面視において、少なくとも一部が軸方向に露出している。つまり、主板３０Ａは、上面視において、上主板５０Ａの径方向内側に露出している。そのため、インペラ１０Ａの回転により、インペラ１０Ａの上側の空気が吸気される。
【００４０】
下主板３０Ａの下面３０Ａｂは、周方向に間隔をあけて、軸方向上側に窪む複数の凹部を有する。複数の凹部は、下主板内側第１凹部３１Ａｂおよび下主板内側第２凹部３１Ａｃを有している。下主板内側第１凹部３１Ａｂは、径方向内側において、周方向に間隔をあけて複数設けられている。そのため、下主板内側第１凹部３１Ａｂが肉抜きとなりインペラ１０Ａのヒケ防止および軽量化を実現できるとともに、回転バランス修正ができる。
【００４１】
下主板内側第２凹部３１Ａｃは、径方向内側において、下主板内側第１凹部３１Ａｂよりも径方向外側において周方向に間隔をあけて複数設けられている。そのため、下主板内側第２凹部３１Ａｃが肉抜きとなりインペラ１０Ａのヒケ防止および軽量化を実現できる
とともに、回転バランス修正ができる。
【００４２】
曲面部６０Ａは、下主板３０Ａの上面３０Ａａと、カップ部２０の外周面とを接続する。曲面部６０Ａは、径方向内側に向かって凸となっている曲面である。曲面部６０Ａの中心軸ＡＸからの距離は、軸方向について、円筒部２３の外周面の下端との内側接続部Ｆ１までの距離から下主板３０Ａの上面３０Ａａとの外側接続部Ｆ２までの距離まで、下側に向かうに従って漸次長くなる。曲面部６０Ａの中心軸ＡＸからの距離は、下側に向かうに従って中心軸ＡＸからの距離が一定ではない割合で漸次長くなる。下側に向かうに従って曲面部６０Ａの中心軸ＡＸからの距離が長くなる割合は、曲面部６０Ａと円筒部２３の外周面との内側接続部Ｆ１における割合αから連続的に増加する。
【００４３】
曲面部６０Ａは、インペラ１０Ａの上側からカップ部２０の外周面に沿って下側に吸気された空気の流動方向を、径方向外側に向かうに従って、カップ部２０の外周面に沿った方向から下主板３０Ａの上面３０Ａａに沿って径方向外側に向かう方向まで連続的に変化させる。そのため、インペラ１０Ａの上側から吸気して径方向外側に排気する空気の流動抵抗の増加を抑えて送風効率を高めることができる。
【００４４】
曲面部６０Ａの一部は、軸方向において、下主板内側第１凹部３１Ａｂおよび下主板内側第２凹部３１Ａｃと重なる。そのため、曲面部６０Ａの存在によって肉厚となった部位を薄くしてヒケを防止できる。
【００４５】
上主板５０Ａは、羽根４０の上部、とりわけ羽根４０の外端と接続される円環状である。上主板５０Ａの径方向内端は、径方向において、下主板３０Ａの外端と略一致する位置か、または下主板３０Ａの外端よりも外側に位置する。そのため、インペラ１０Ａは、金型を上下抜きにより成型できる。
【００４６】
上主板５０Ａの上面は、上主板凹部５５Ａを有している。上主板凹部５５Ａは、周方向に間隔をあけて複数配置されている。そのため、インペラ１０Ａの回転バランス修正ができる。上主板５０Ａは、下面５１Ａと外周面５２Ａとをつなぐ上主板傾斜部５３Ａを有している。上主板傾斜部５３Ａは、径方向外側に向かうに従って、上主板５０Ａの下端と上主板５０Ａの下面との軸方向距離が長くなる。そのため、径方向外方に送り出される空気の吐出口における断面積を広げることができ、排気効率を高めることができる。  
【００４７】
羽根４０は、下主板３０Ａの上側に周方向に複数配列されている。それぞれの羽根４０の径方向内端は、曲面部６０Ａと接続されている。すなわち、羽根４０の径方向内端は、下主板３０Ａの上面３０Ａａと曲面部６０Ａとの外側接続部Ｆ２よりも径方向内側に位置する。そのため、インペラ１０Ａの上側からカップ部２０の外周面に沿って下側に吸気された空気を、下主板３０Ａの上面３０Ａａに到達する前に羽根４０に接触させることができ、排気効率を向上できる。
【００４８】
羽根４０の径方向外端は、下主板３０Ａの径方向外端よりも外側に位置する。すなわち、下主板３０Ａの径方向外端は、羽根４０の径方向外端よりも内側に位置する。そのため、羽根４０で掃き出した空気を外側かつ下側へ誘導できる。
【００４９】
羽根４０は、上主板５０Ａの下面５１Ａに接続されている。そのため、上主板５０Ａと羽根４０との固定を強化できる。羽根４０の外端は、上主板傾斜部５３Ａに接続されている。そのため、羽根４０から上主板５０Ａまでの空気流動性を向上できる。
【００５０】
羽根４０は、径方向において、上主板５０Ａの外周面５２Ａと接続されている。そのため、羽根４０の径方向長さが大きくなり排気効率向上、および羽根４０と上主板５０Ａとの接続部での乱流発生抑制を実現できる。
【００５１】
ベース部８０Ａは、インペラ１０Ａの下基板３０Ａの下側に位置している。ベース部８０Ａは、径方向外側に延びるベースプレート８１Ａを有している。ベースプレート８１Ａは、モータＭを下側から支持する。そのため、ベースプレート８１Ａは、モータＭを介してインペラ１０Ａを回転可能に支持できる。
【００５２】
ベースプレート８１Ａの外側は、径方向外側に向かうに従って、下主板３０Ａの下端とベースプレート８１Ａの上面との軸方向距離が長くなるベースプレート傾斜部８５を有している。ベースプレート傾斜部８５の少なくとも一部は、下主板３０Ａの径方向外端よりも径方向外側に位置する。そのため、インペラ１０Ａから送り出される空気の吐出口における断面積を広げることができ、排気効率、すなわち送風効率を高めることができる。また、ベースプレート８１Ａから送り出される空気の吐出口における断面積を広げることができ、さらに排気効率、すなわち送風効率を高めることができる。
【００５３】
以上、添付図面を参照しながら本発明に係る例示的な一実施形態について説明したが、本発明は係る例に限定されない。上述した例において示した各構成部材の諸形状や組み合わせ等は一例であって、本発明の主旨から逸脱しない範囲において設計要求等に基づき種々変更可能である。
【００５４】
例えば、変形例においては、ベースプレート８１Ａにベースプレート傾斜部８５を設ける構成を例示したが、実施形態における図１に示したように、主板３０の外側の主板傾斜部３１と同様に、径方向外側に向かうに従って、上主板５０Ａの下端と下主板３０Ａの上面との軸方向距離が長くなる傾斜部を、下主板３０Ａの外側が有する構成であってもよい。
【符号の説明】
【００５５】
１、１Ａ…遠心ファン、  １０、１０Ａ…インペラ、  ２０…カップ部、  ２３…円筒部、  ３０…主板、  ３０Ａ…下主板、  ３０ａ…上面、  ３０ｂ…下面、  ３１…主板傾斜部、  ３１Ａ…主板傾斜部、  ３１ａ…主板外側凹部、  ３１ｂ…主板内側第１凹部、  ３１ｃ…主板内側第２凹部、  ４０…羽根、  ４１…羽根傾斜部、  ５０…リング部、  ５０Ａ…上主板、  ５１、５１Ａ…下面、  ５２、５２Ａ…外周面、  ５３…リング部傾斜部、  ６０、６０Ａ…曲面部、  ８０、８０Ａ…ベース部、  ８１…ベースプレート、  ８５…ベースプレート傾斜部、  Ｍ…モータ
【図１】
2017036723.tif 000003
【図２】
2017036723.tif 000004
【図３】
2017036723.tif 000005
【図４】
2017036723.tif 000006
【図５】
2017036723.tif 000007